(57)【要約】【課題】複数フォーマットに対応可能であり、所望のフォーマットの信号の記録再生レートを高める。【解決手段】所望のフォーマットの信号の記録再生レートをｎ倍とするとき、回転ドラム１１には、第１のレートで信号を記録再生するときのヘッド数よりも多く、第１のレートで信号を記録再生するときヘッド数のｎ倍よりも少ないヘッド数の記録ヘッドと再生ヘッドを設ける。また所望のフォーマットとは異なる他のフォーマットで記録された信号の再生を行うダイナミックトラッキング再生ヘッドを設ける。制御部７０は、記録ヘッドと再生ヘッドのヘッド数が第１のレートで記録再生を行うときのヘッド数のｍ倍（ｍは１＜ｍ＜ｎ）であるとき、回転ドラム１１の回転周波数が第１のレートで記録再生を行うときの回転周波数の（ｎ／ｍ）倍となうようにドラムモータ６３を制御する。【選択図】        図２
2008204531.tif 000002
【特許請求の範囲】
【請求項１】
第１のフォーマットの信号の記録再生を第１のレートのｎ倍で行うとともに、前記第１フォーマットとは異なる第２のフォーマットで記録された信号の再生を行う磁気記録再生装置において、
前記第１のレートで信号を記録するときのヘッド数よりも多く、前記第１のレートで信号を記録するときヘッド数のｎ倍よりも少ないヘッド数の記録ヘッドと、前記第１のレートで信号を再生するときのヘッド数よりも多く、前記第１のレートで信号を再生するときのヘッド数のｎ倍よりも少ないヘッド数の再生ヘッドと、前記第２のフォーマットで記録された信号の再生を行うダイナミックトラッキング再生ヘッドを設けた回転ドラムを用い、
前記回転ドラムの回転周波数を制御する制御部は、前記記録ヘッドと再生ヘッドのヘッド数が前記第１のレートで記録再生を行うときのヘッド数のｍ倍（ｍは１＜ｍ＜ｎ）であるとき、前記回転周波数を、前記第１のレートで記録再生を行うときの回転周波数の（ｎ／ｍ）倍とする
ことを特徴とする磁気記録再生装置。
【請求項２】
前記再生ヘッドとしてノントラッキングヘッドを用いた
ことを特徴とする請求項１記載の磁気記録再生装置。
【請求項３】
信号記録時に前記記録ヘッドで記録された信号の再生を行うコンフィデンスヘッドを設けた
ことを特徴とする請求項１記載の磁気記録再生装置。
【発明の詳細な説明】
【技術分野】
【０００１】
この発明は、磁気記録再生装置に関する。詳しくは、回転ドラムに設けられる記録ヘッドや再生ヘッドの数を増やすだけでなく回転ドラムの回転周波数を高め、レガシー再生のためにダイナミックトラッキングヘッドを用いることで、所望のフォーマットの信号の記録再生レートを高め、他のフォーマットの信号の再生も可能とするものである。
【背景技術】
【０００２】
従来、磁気テープを用いて映像や音声の記録を行う磁気記録装置では、種々のフォーマットが規格化されており、例えば特許文献１の発明では、ＤＶフォーマットとＤＶＣＰＲＯフォーマットに対する記録や消去が可能な磁気記録再生装置が開示されている。
【０００３】
また、磁気記録再生装置では、特許文献２に記載されているように、回転ドラムに搭載する磁気ヘッドの数を増大して回転ドラムの回転速度を低速度化することが行われている。
【０００４】
図４は、複数のフォーマット例えばＨＤＣＡＭ（登録商標）フォーマットとＨＤＣＡＭ−ＳＲ（登録商標）フォーマットに対応可能な従来の磁気記録再生装置で用いられている回転ドラムのヘッド配置を例示したものである。
【０００５】
ＨＤＣＡＭフォーマットとＨＤＣＡＭ−ＳＲフォーマットに対応させる場合、ＨＤＣＡＭフォーマットのトラックピッチは２１．７μｍ、ＨＤＣＡＭ−ＳＲフォーマットのトラックピッチは１３．２μｍにそれぞれ規定されており、トラックピッチが大きく異なる。したがって、回転ドラムには、ＨＤＣＡＭフォーマットに対応するヘッドとＨＤＣＡＭ−ＳＲフォーマットに対応するヘッドが個々に設けられる。
【０００６】
ＨＤＣＡＭ−ＳＲフォーマットに対応するヘッドとしては、例えば記録ヘッドＲＥＣ-A〜ＲＥＣ-H、再生および可変速再生のための所謂ダイナミックトラッキングヘッドＨＳＡＤＶ-A1/A2〜ＨＳＡＤＶ-H1/H2、信号が正しく記録されたか確認するためのコンフィデンスヘッドＣＮＦ-A〜ＣＮＦ-H、および消去ヘッドＦＥ-AD，ＦＥ-EHが設けられる。なお、ダイナミックトラッキングヘッドとは、電圧の印加によって撓み変形されるアクチュエータ（例えばバイモルフ）に再生ヘッドをマウントして、この再生ヘッドがマウントされたアクチュエータを回転ドラム上に配置したものであり、このアクチュエータに電圧を印加することで、走査方向に対して直交する方向に再生ヘッドを移動できるものである。
【０００７】
また、ＨＤＣＡＭフォーマットに対応するヘッドとしては、例えば記録ヘッドＨＤＲＥＣ-A〜ＨＤＲＥＣ-D、再生や可変速再生のためのダイナミックトラッキングヘッドＨＤＡＤＶ-A〜ＨＤＡＤＶ-D、信号が正しく記録されたか確認するためのコンフィデンスヘッドＨＤＣＮＦ-A〜ＨＤＣＮＦ-Dおよび消去ヘッドＨＤＦＥ-AB，ＨＤＦＥ-CDが設けられる。
【０００８】
このように、ＨＤＣＡＭフォーマットに対応したヘッドとＨＤＣＡＭ−ＳＲフォーマットに対応したヘッドが回転ドラムに設けることで、例えばＨＤＣＡＭ−ＳＲフォーマットで記録再生を行う場合でも、過去にＨＤＣＡＭフォーマットで信号が記録されている磁気テープの再生、すなわちレガシー再生を行うことができる。
【０００９】
また、ＨＤＣＡＭフォーマットの記録レートは１４０Ｍｂｐｓ、ＨＤＣＡＭ−ＳＲフォーマットの記録レートは４４０Ｍｂｐｓにそれぞれ規定されており、記録レートの高いＨＤＣＡＭ−ＳＲフォーマットの記録再生でもＨＤＣＡＭフォーマットの記録再生と同じドラム回転数となるように、ＨＤＣＡＭ−ＳＲフォーマットに対応したヘッドは、ＨＤＣＡＭフォーマットのヘッドよりも数が多く設けられている。
【００１０】
【特許文献１】特開２００１−２８３４０８号公報
【特許文献２】特開２００２−５６５０１号公報
【発明の開示】
【発明が解決しようとする課題】
【００１１】
ところで、高画質で映像の記録再生を行う場合や複数の撮像装置で得られた映像を同時に記録する場合等では、映像のデータ量が増加することから、記録レートのさらなる高速化が必要となる。
【００１２】
ここで、例えば記録レートをＨＤＣＡＭ−ＳＲフォーマットの２倍とする場合、ＨＤＣＡＭ−ＳＲフォーマットに対応する記録ヘッドやコンフィデンスヘッド等を２倍設けるものとすれば、回転ドラムの回転速度を高めることなく記録レートを２倍とすることができる。なお、ヘッドを２倍設けるときには、磁気テープのテープ送り速度を高めて所望のトラックピッチで信号を記録できるようにする。このようにヘッドを２倍設けるものとすると、回転ヘッドおけるヘッド取り付け可能スペースがＨＤＣＡＭ−ＳＲフォーマットに対応するヘッドでほとんど占有されてしまい、ＨＤＣＡＭフォーマットに対応したヘッドの取り付けスペースを確保できなくなってしまう。
【００１３】
また、記録レートをＨＤＣＡＭ−ＳＲフォーマットの２倍とする場合、回転ドラムの回転速度を２倍に高めるものとすれば、ヘッドの数を増やすことなく記録レートを２倍とすることができる。なお、回転速度を２倍とするときも、磁気テープのテープ送り速度を高めて所望のトラックピッチで信号を記録できるようにする。このように回転速度を２倍とすると、ヘッドと磁気テープの相対速度が高くなり磁気テープに加わるダメージが大きくなってしまう。
【００１４】
そこで、この発明では複数フォーマットに対応可能であり、所望のフォーマットの信号の記録再生レートを高めた磁気記録再生装置を提供するものである。
【課題を解決するための手段】
【００１５】
この発明の概念は、記録再生レートを高める際に、ヘッド数あるいは回転ドラムの回転周波数のいずれか一方のみを変更して対応するのではなく、両方を変更することで所望の記録再生レートを達成できるようにすることにある。
【００１６】
この発明の磁気記録再生装置では、第１のフォーマットの信号の記録再生を第１のレートのｎ倍で行うとともに、前記第１フォーマットとは異なる第２のフォーマットで記録された信号の再生を行う磁気記録再生装置において、前記第１のレートで信号を記録するときのヘッド数よりも多く、前記第１のレートで信号を記録するときヘッド数のｎ倍よりも少ないヘッド数の記録ヘッドと、前記第１のレートで信号を再生するときのヘッド数よりも多く、前記第１のレートで信号を再生するときのヘッド数のｎ倍よりも少ないヘッド数の再生ヘッドと、前記第２のフォーマットで記録された信号の再生を行うダイナミックトラッキング再生ヘッドを設けた回転ドラムを用い、前記回転ドラムの回転周波数を制御する制御部は、前記記録ヘッドと再生ヘッドのヘッド数が前記第１のレートで記録再生を行うときのヘッド数のｍ倍（ｍは１＜ｍ＜ｎ）であるとき、前記回転周波数を、前記第１のレートで記録再生を行うときの回転周波数の（ｎ／ｍ）倍とするものである。
【発明の効果】
【００１７】
この発明によれば、第１のフォーマットの信号の記録再生を第１のレートのｎ倍で行うとともに、第１のフォーマットとは異なる第２のフォーマットで記録された信号の再生を行うとき、第１のレートで信号を記録するときのヘッド数よりも多く、第１のレートで信号を記録するときヘッド数のｎ倍よりも少ないヘッド数の記録ヘッドと、第１のレートで信号を再生するときのヘッド数よりも多く、第１のレートで信号を再生するときのヘッド数のｎ倍よりも少ないヘッド数の再生ヘッドと、第２のフォーマットで記録された信号の再生を行うダイナミックトラッキング再生ヘッドを設けた回転ドラムが用いられて、この回転ドラムの回転周波数は、記録ヘッドと再生ヘッドの数が第１のレートで記録再生を行うときのヘッド数のｍ倍であるとき、第１のレートで記録再生を行うときの回転周波数の（ｎ／ｍ）倍とされる。
【００１８】
このため、ヘッド数をｎ倍として記録再生レートをｎ倍とする場合に比べて、ヘッド数が少ないことから、他のフォーマットの信号に対応するヘッドを設けるスペースを容易に確保することが可能となり、回転ドラムの回転周波数をｎ倍として記録再生レートをｎ倍とする場合に比べてテープダメージを少なくでき、複数フォーマットに対応可能であり、所望のフォーマットの信号の記録再生レートを高めることができる。
【発明を実施するための最良の形態】
【００１９】
以下、図を参照しながら、この発明の実施の一形態について説明する。この発明の磁気記録再生装置では、従来の磁気記録再生装置に比べて、回転ドラムに設けるヘッドを増やして回転ドラムの回転数を高速化することで、記録レートや再生レートを高める。なお、以下では、第１のフォーマットであるＨＤＣＡＭ−ＳＲ（登録商標）フォーマットで信号の記録再生を行う際に、記録再生レートを従来の２倍である８８０Ｍｂｐｓとするとともに、レガシー再生として、第２のフォーマットであるＨＤＣＡＭ（登録商標）フォーマットで記録された信号を再生可能とする場合について説明する。
【００２０】
図１は、磁気記録再生装置に用いられている回転ドラム１１のヘッド配置を示している。回転ドラム１１には、ＨＤＣＡＭ−ＳＲフォーマットに対応するヘッドとして、例えば記録再生レートが４４０Ｍｂｐｓである従来の磁気記録再生装置に比べて２倍よりも少ない（３／２）倍の数のヘッドが設けられている。すなわち、記録ヘッドＲＥＣ-A1，ＲＥＣ-B1〜ＲＥＣ-A6，ＲＥＣ-B6、標準度再生および可変速再生のための再生ヘッドＰＢ-A1，ＰＢ-B1〜ＰＢ-A6,ＰＢ-B6、信号が正しく記録されたか確認するためのコンフィデンスヘッドＣＮＦ-A1，ＣＮＦ-B1〜ＣＮＦ-A6，ＣＮＦ-B6が設けられている。また、ヘッドＲＥＣ-A1〜ＲＥＣ-A6，ＰＢ-A1〜ＰＢ-A6，ＣＮＦ-A1〜ＣＮＦ-A6は、第１のアジマス角とされており、ヘッドＲＥＣ-B1〜ＲＥＣ-B6，ＰＢ-B1〜ＰＢ-B6，ＣＮＦ-B1〜ＣＮＦ-B6は、第１のアジマス角とは異なる第２のアジマス角とされている。
【００２１】
さらに、回転ドラム１１には、消去ヘッドＦＥ-1，ＦＥ-2，ＦＥ-3と、ＳＡＴ再生ヘッドＰＢ-satが設けられている。なお、ＳＡＴ再生ヘッドＰＢ-satは、編集時のトラッキング精度を高めるためにビデオトラックとオーディオトラック間に記録されたＳＡＴ(Supplement Auto Tracking)信号を再生するためのヘッドである。
【００２２】
また、回転ドラム１１には、ＨＤＣＡＭフォーマットで記録されている信号を再生するため、ＨＤＣＡＭフォーマットに対応するヘッドとして、標準速再生や可変速再生のための例えばダイナミックトラッキングヘッドＨＤＡＤＶ-A〜ＨＤＡＤＶ-Dが設けられている。ダイナミックトラッキングヘッドＨＤＡＤＶ-A，ＨＤＡＤＶ-Bは、組として構成されており、ダイナミックトラッキングヘッドＨＤＡＤＶ-AのヘッドギャップとダイナミックトラッキングヘッドＨＤＡＤＶ-Bのヘッドギャップはトラック幅方向に位置ずれを生じた状態とされている。またダイナミックトラッキングヘッドＨＤＡＤＶ-C，ＨＤＡＤＶ-Dも、ダイナミックトラッキングヘッドＨＤＡＤＶ-A，ＨＤＡＤＶ-Bと同様に組として構成されている。
【００２３】
図２は、図１に示す回転ドラムを用いた磁気記録再生装置の構成を示している。磁気記録再生装置２０の映像入力処理部２１は、外部から種々のフォーマット等で映像入力信号ＶＤinが供給されても、映像入力信号ＶＤinを記録できるように処理する。例えばデフォーマット処理を行い、ＨＤ−ＳＤＩフォーマット等で映像入力信号ＶＤinが供給されたとき、このＨＤ−ＳＤＩフォーマットの信号から輝度信号と色差信号と抽出して、記録ビデオ信号ＤＶwとして映像圧縮部２２に供給する。
【００２４】
映像圧縮部２２は、記録ビデオ信号ＤＶwの符号化処理を行い、データ量を圧縮してパリティ付加部２４に供給する。映像圧縮部２２は、符号化処理として例えばＭＰＥＧ(Moving Picture Experts Group)−４スタジオプロファイル方式で符号化処理を行い、得られた符号化データＤＰwをパリティ付加部２４に供給される。
【００２５】
音声入力処理部２３は、外部から種々のフォーマット等で音声入力信号ＡＵinが供給されても、映像信号を記録できるように処理する。例えば、音声入力処理部２３はデフォーマット処理を行い、ＡＥＳ／ＥＢＵフォーマットのディジタル信号から音声データを抽出して、記録音声データＤＡwとしてパリティ付加部２４に供給する。また、音声入力処理部２３は、音声データのサンプリングレートを所望のサンプリングレートとするレート変換やフィルタ処理、信号レベル調整等を行う。
【００２６】
パリティ付加部２４は、符号化データＤＰwや記録音声データＤＡwに対して誤り訂正符号を生成して付加する。例えば、内符号パリティと外符号パリティを符号化データＤＰwに付加してＳＹＮＣブロックＢＰwを構成する。また、記録音声データＤＡwに基づいてＳＹＮＣブロックＢＡwを構成して、このＳＹＮＣブロックＢＰw，ＢＡwを記録部２５に供給する。
【００２７】
記録部２５は、パリティ付加部２４から供給されたＳＹＮＣブロックＢＰw，ＢＡwのデータに同期符号や識別符号を付加して、トラック毎の記録データを生成する。さらに、記録データのチャネルコーディングを行い、得られた信号を記録電流ＷＳに変換して、回転ドラム１１に搭載された記録ヘッドＲＥＣ-A1，ＲＥＣ-B1〜ＲＥＣ-A6，ＲＥＣ-B6に供給する。また、記録部２５は、制御部７０からの制御信号ＣＴによって記録されている信号を消去する指示がなされたとき、消去電流ＥＳを生成して回転ドラム１１に搭載された消去ヘッドＦＥ-1，ＦＥ-2，ＦＥ-3に供給する。
【００２８】
このように、回転ドラム１１の記録ヘッドＲＥＣ-A1，ＲＥＣ-B1〜ＲＥＣ-A6，ＲＥＣ-B6に記録電流ＷＳを供給することで、磁気テープ４０に映像や音声を記録できる。また消去ヘッドＦＥ-1，ＦＥ-2，ＦＥ-3に消去電流ＥＳを供給することで、記録されている映像や音声を消去できる。
【００２９】
磁気テープ４０に記録されている信号は、回転ドラム１１の再生ヘッドＰＢ-A1，ＰＢ-B1〜ＰＢ-A6,ＰＢ-B6やコンフィデンスヘッドＣＮＦ-A1，ＣＮＦ-B1〜ＣＮＦ-A6，ＣＮＦ-B6、ダイナミックトラッキングヘッドＨＤＡＤＶ-A〜ＨＤＡＤＶ-Dによって読み出されて、再生信号ＲＳとして復号部５１に供給される。復号部５１は、再生信号ＲＳの振幅や位相を調整して波形整形を行い、さらに記録部２５で行われるチャネルコーディングに対応した復号処理を行って再生データＲＤを生成する。この再生データＲＤは、第１誤り訂正部５２に供給される。
【００３０】
第１誤り訂正部５２は、再生データＲＤを構成する符号化データに含まれた内符号パリティを用いた誤り訂正を行う。ここで、後述する制御部からＨＤＣＡＭ−ＳＲフォーマットに対応する再生ヘッドで読み出しが行われていることが制御信号ＣＴによって示されたとき、このときの誤り訂正後の再生データＲＤＣaを第２誤り訂正部５３に供給する。また、ＨＤＣＡＭフォーマットに対応する再生ヘッドで読み出しが行われていることが制御信号ＣＴによって示されたとき、このときの誤り訂正後の再生データＲＤＣbを第３誤り訂正部５４に供給する。
【００３１】
第２誤り訂正部５３は、再生データＲＤＣaに対して外符号パリティを用いた誤り訂正を行い、誤り訂正後の符号化データＤＰraを映像伸長部５５に供給する。また、第２誤り訂正部５３では、音声データの誤り訂正を行い誤り訂正後の音声データＤＡraを音声出力部５７に供給する。
【００３２】
第３誤り訂正部５４は、再生データＲＤＣbに対して外符号パリティを用いた誤り訂正を行い、誤り訂正後の符号化データＤＰrbを映像伸長部５６に供給する。また、第２誤り訂正部５３では、音声データの誤り訂正を行い誤り訂正後の音声データＤＡraを音声出力部５７に供給する。
【００３３】
映像伸長部５５は、供給された符号化データＤＰraの復号化処理を行い、ディジタルの映像出力信号ＶＤout1として出力する。この映像伸長部５５では映像圧縮部２２で用いられている符号化方式に対応した復号化処理を行う。例えば映像圧縮部２２で上述のようにＭＰＥＧ−４スタジオプロファイル方式で符号化処理が行われているときは、ＭＰＥＧ−４スタジオプロファイル方式に対応した復号化処理を行う。
【００３４】
映像伸長部５６は、供給された符号化データＤＰrbの復号化を行い、ディジタルの映像出力信号ＶＤout2として出力する。この映像伸長部５６では、レガシー再生する信号で用いられている符号化方式に対応した復号化処理を行う。例えばＨＤＣＡＭフォーマットでは、フィールド内ＤＣＴ符号化処理が行われていることから、この符号化処理に対応した復号化処理を行う。
【００３５】
音声出力部５７は音声データＤＡra，ＤＡrbのフィルタ処理等を行って音声出力信号ＡＵoutとして出力する。また、アナログ信号で音声出力を行う場合は、音声データＤＡra，ＤＡrbのＤ／Ａ変換処理等を行う。
【００３６】
なお、映像伸長部５５，５６や音声出力部５７は映像出力信号ＶＤout1，ＶＤout2や音声出力信号ＡＵoutを出力する際に、フォーマット化等を行うものとしてもよい。
【００３７】
磁気テープ４０の走行制御を行うキャプスタンモータ６１は、モータ駆動部６２によって回転制御されている。回転ドラムを駆動するドラムモータ６３は、モータ駆動部６４によって回転制御が行われる。
【００３８】
制御部７０にはユーザインタフェース部７１が接続されている。ユーザインタフェース部７１はユーザ操作に応じた操作信号ＰＳを生成して制御部７０に供給する。制御部７０は操作信号ＰＳに基づき制御信号ＣＴを生成して、磁気記録再生装置の動作がユーザ操作に応じた動作となるように各部の動作を制御する。
【００３９】
このように構成された磁気記録再生装置２０において、回転ドラム１１には、ＨＤＣＡＭ−ＳＲフォーマットに対応するヘッドとして、従来の磁気記録再生装置に比べて（３／２）倍（ｍ＝３／２）の数のヘッドが設けられており、ＨＤＣＡＭ−ＳＲフォーマットで信号の記録再生を行う際に、記録再生レートを従来の２倍（ｎ＝２）である８８０Ｍｂｐｓとすることから、回転ドラムの回転周波数は従来の回転ドラムの回転周波数に比べて（ｎ／ｍ）倍すなわち（４／３）倍とする。例えば従来の回転ドラムの回転周波数が「９０Ｈｚ」であるときには「１２０Ｈｚ」とする。すなわち、ヘッド数を（３／２）倍で回転周波数を（４／３）倍とすれば、記録再生レートは従来の２倍となる。
【００４０】
このように、ＨＤＣＡＭ−ＳＲフォーマットで信号の記録再生を行うためのヘッドの数を増やして回転ドラムの回転周波数を高めるものとすれば、ヘッドの数のみを増やして記録再生レートを所望のレートに高める場合に比べてヘッド数を少なくできるので、ヘッドの占有領域が少なくなりレガシー再生のためのヘッドを容易に回転ドラムに設けることができる。また、増やすヘッドの数を少なくできるので、コストアップを抑えることができる。さらに、また、回転ドラムの回転周波数のみを高めて記録再生レートを所望のレートに高める場合に比べて回転周波数を低く抑えることができるので、テープダメージを少なくできる。
【００４１】
ところで、記録再生レートを従来の２倍とするため、ヘッド数を増やして回転周波数を高くした場合、磁気記録再生装置に設けられている固定シリンダに形成されたリードの角度（リード角）が従来と等しいリード角であるとき、トラック角がＨＤＣＡＭ−ＳＲフォーマットで規定されているトラック角よりも大きくなってしまう。このため、トラック角がＨＤＣＡＭ−ＳＲフォーマットで規定されている角度となるように、リード角を小さくする。例えばリード角を４．６０７度から４．５９５度に変更する。
【００４２】
また、レガシー再生としてＨＤＣＡＭフォーマットで記録された信号を再生する場合、リード角が変更されていると、回転ドラムにレガシー再生用の再生ヘッドを設けて、この回転ドラムの回転数を従来の回転周波数としても、トラックを正しくトレースすることができない。そこで、リード角が変更されてもトラックを正しくトレースできるように、レガシー再生のための再生ヘッドとしてダイナミックトラッキングヘッドを用いる。ダイナミックトラッキングヘッドを用いる場合、再生動作中にダイナミックトラッキングヘッドを走査方向に対して直交する方向に振動させて、再生信号の信号レベルが最大となるようにダイナミックトラッキングヘッドを駆動すれば、リード角が異なっていてもトラックを正しくトレースすることが可能となり、記録されている信号を正しく再生することができる。
【００４３】
さらに、ＨＤＣＡＭ−ＳＲフォーマットの信号再生をノントラッキング方式で行うものとして、再生ヘッドをコンフィデンスヘッドに隣接して設け、コンフィデンスヘッドを記録ヘッドから離して設けることで、信号記録時のクロストークを削減して、広い可変速再生範囲を確保する。
【００４４】
ノントラッキング方式の再生では、２個以上の再生ヘッドからの再生信号を利用して１つのトラックの信号を得る処理が行われる。例えば、２個の再生ヘッドによるノントラッキング再生では、第１の再生ヘッドを１倍速再生でオントラックする位置として回転ドラムに取り付ける。また、第２の再生ヘッドは、可変速再生時に第１の再生ヘッドで取得されない信号を得ることが可能な位置として回転ドラムに取り付ける。そして、２個の再生ヘッドより再生された再生信号の誤り訂正を第１誤り訂正部５２で行い、誤りの少ない誤り訂正後の信号を第２誤り訂正部５３等に供給する。
【００４５】
図３は、可変速再生速度と再生ヘッドによるトラックのカバー率を示している。なお、図３において、０倍速とはスチル状態、１倍速は標準速度であることを示している。
【００４６】
図１に示すヘッド配置で、ノントラッキング再生を行わない場合、再生速度の可変範囲は、図３の（Ａ）に示すように−０．２倍速〜＋０．２倍速程度の範囲である。しかし、ノントラッキング再生を行うものとすれば、再生速度の可変範囲を、図３の（Ｂ）に示すように−０．５倍速〜＋１倍速程度の範囲に広げることができる。また、図１に示すヘッド配置では、コンフィデンスヘッドと記録ヘッドの間に再生ヘッドやダイナミックトラッキングヘッドが設けられていることから、コンフィデンスヘッドから読み出された信号は、信号記録時に発生するクロストークの影響が少ないものとされた信号となる。すなわち、良好な画質の再生画像等を得ることが可能となる。なお、再生ヘッドとコンフィデンスヘッドを回転ドラム上に均等に配置すれば、図３の（Ｃ）に示すように再生速度の可変範囲を広くすることが可能となる。しかし、記録ヘッドのコンフィデンスヘッドが図１に示す配置の場合よりも近接した状態となって、コンフィデンスヘッドから読み出された信号におけるクロストークの影響が大きくなってしまうので、それを回避するためには図１に示すヘッド配置が好ましい。
【図面の簡単な説明】
【００４７】
【図１】回転ドラムのヘッド配置を示す図である。
【図２】磁気記録再生装置の機能ブロック図である。
【図３】可変速再生速度とカバー率の関係を示す図である。
【図４】従来の回転ドラムのヘッド配置を示す図である。
【符号の説明】
【００４８】
１１・・・回転ドラム、２０・・・磁気記録再生装置、２１・・・映像入力処理部、２２・・・映像圧縮部、２３・・・音声入力処理部、２４・・・パリティ付加部、２５・・・記録部、４０・・・磁気テープ、５１・・・復号部、５２・・・第１誤り訂正部、５３・・・第２誤り訂正部、５４・・・第３誤り訂正部、５５、５６・・・映像伸長部、５７・・・音声出力部、６１・・・キャプスタンモータ、６２，６４・・・モータ駆動部、６３・・・ドラムモータ、７０・・・制御部、７１・・・ユーザインタフェース部
【図２】
2008204531.tif 000003
【図３】
2008204531.tif 000004
【図１】
2008204531.tif 000005
【図４】
2008204531.tif 000006